【手続補正書】
【提出日】平成24年9月25日(2012.9.25)
【手続補正１】
【補正対象書類名】明細書
【補正対象項目名】全文
【補正方法】変更
【補正の内容】
【発明の詳細な説明】
【発明の名称】ピアノハンマーおよびピアノ
【技術分野】
【０００１】
本発明は、ピアノの弦を打撃するためのピアノハンマーおよびこのピアノハンマーを備えたピアノに関するものである。
【背景技術】
【０００２】
本発明にて意味するフォルテピアノまたはクルツピアノとも呼ばれるピアノは、鍵盤を通じていわゆるピアノハンマーによって、張られた弦を打撃されることにより、振動または音を発するように励起される同種の全ての弦楽器を包括する。また、ピアノは、弦が垂直方向に張られて延びているいわゆるピアニーノ（小型アップライトピアノ）と、弦が水平方向に張られて延びているグランドピアノとの２つのグループに分けられる。
【０００３】
既に言及したように、このようなピアノは、典型的に、鍵盤のキーを押す圧力によって、弦または複数の弦（高音では多くの場合２本または３本の弦が平行に張られている）に衝突するいわゆるピアノハンマーを使い、ピアノの中の所定の空間に張られた弦を打撃してこの弦を振動させる。このピアノハンマーは、その上、ピアノハンマーの打撃と並んで例えば音の減衰のようなさらに他の音の構成要素を利用する複雑な機械的機構の中に配置されている。
【０００４】
ピアノハンマー自体は、柄とハンマーヘッドとを備えているが、このハンマーヘッドは、確認の際に、実際に打撃すべき弦または打撃すべき複数の弦に衝突する。ピアノハンマーのハンマーヘッドは、柄と同様に、多くの場合、中心部が木製であるが、原則としてこの材質に限定されない。この場合、ハンマーヘッドは、対応する鍵盤のキーが押されると、それと一緒にハンマーヘッドが打撃すべき弦に衝突する支え台を有している。支え台の材質としては、現在普通に用いられているものでは綿毛が使用されるが、かつては皮革も使用されていた。これに相当する性質を持つその他の材料も、支え台として使用できると考えられる。
【発明の概要】
【発明が解決しようとする課題】
【０００５】
これまでのピアノでは、ピアノハンマーまたはハンマーの支え台は、典型的に、対応するキーを押した際に、弦または複数の弦に衝突する衝突面を含め、水滴形に形成されていた。
【０００６】
そして、例えばハンマーヘッドの支え台として現在広く普通に用いられている綿毛を使用する場合は、綿毛の密度または圧縮が、このハンマーの作動に際しての楽器の音の性質や音調にとって決定的に重要な役割を果たす。
【０００７】
そこで現在では、製作所におけるピアノの製作に際して、弦または複数の弦に衝突する部分であるハンマーの綿毛支え台は、決められた工具を使って表面に穴が空けられ、楽器の音のチューニングのために分解された状態となる。この作業は、経験豊かな調律担当者によって行わなければならず、また、時間のかかる作業である。
【０００８】
特に、上述した加工により処理されるピアノハンマーやその支え台では、穴空けによって過剰に分解された綿毛支え台を再び圧縮して復元することはほとんど不可能である。最悪の場合、ハンマーヘッドまたはハンマー全体をさらに製作工程において交換しなければならず、そして、調律を改めて行わなければならない。
【０００９】
本発明は、このような点に鑑みなされたもので、根本的により簡単に調整可能かつ復元可能で、可逆的なチューニングが可能なピアノハンマーを提供することを目的とする。
【課題を解決するための手段】
【００１０】
振り返ってみると第一に呆れるほど簡単に見える、楽器の分野、より正確に言えばピアノ製作の分野における殆ど革命的な改革を意味する本発明のアイディアは、ハンマーヘッドを、打撃すべき弦に衝突させることができる胴回り面に沿って様々な異なる密度の支え台を有する構成にすることにある。その際、ピアノハンマーでは、柄に固定して配置されるハンマーヘッドは、弦または複数の打撃すべき弦に衝突するその胴回り面の位置を調整可能であることが、その他の決定的に重要な視点である。
【００１１】
この２つの構成により、最初からピアノハンマーに、定義された（また復元可能でかつ可逆的に調整可能な場合に限り）様々な異なる密度の支え台を備えさせることにより、また、ピアノハンマーにおいて弦に衝突する胴回り面の位置を調整することにより、ピアノの調律または音の調整に際して、調整を行うことが可能になる。違う言葉で言えば、楽器製作者または楽器調律師は、穴空け器またはそれに相当する道具を使って綿毛支え台を分解する必要なく、また、この分解が「過剰」な場合、さらにハンマーヘッドまたはハンマー以外に全体を交換するという修正の可能性が生じることなく、柄に対し相対的なハンマーヘッドの簡単な位置転換により、ピアノの音色を調節できる。
【００１２】
これによって、楽器の調律を非常に速く達成できるようになるだけでなく、可逆的なチューニング、すなわち、調律ミスを修正することも、後々の時点で調律を再度しなおし新たに調律することができる。
【００１３】
本発明により異なる密度の支え台を作り出す簡単な方法は、胴回り面に沿って様々な異なる密度に圧縮された綿毛支え台を用いることにある。例えば、基本的に円形状のハンマーヘッドを使用すると、綿毛の材質が圧縮されることにより、楔形に増大し均等な最終強度に至る初期強度が得られた綿毛の細長い切れ筋を胴回り面に貼着できる。この場合、連続的に変化する材質密度の程度が明らかになり、それにより段階なしに、ハンマーヘッドの数多くの調節が可能になる。
【００１４】
本発明に係るピアノハンマーを構成する簡単な方法は、例えば円筒状に形成されたハンマーヘッドが、柄の中に張られ回転軸の周りを回転可能な回転体であるとともに、柄に対して相対的な望ましい回転位置で固定できるようにすることである。この回転位置の固定は、例えば、回転軸自体への取付螺子の締め付け或いは螺子止めによって、またはその他の適切な方法で行うことができる。この場合、回転体であるハンマーヘッドは、打撃すべき弦または打撃すべき複数の弦の上の衝突箇所までの距離を変えることなく、また、キーを押す際に例えば他の種類の機械的機構がそれによって生じることなく、回転軸を中心に回転させることができる。このように構成されたハンマーヘッドの捻じ曲げは、両方向、すなわち前方向と後方向とに行うことができ、それによって、楽器のチューニングの際に、望ましい音程調整ができるまで修正可能である。
【００１５】
それとともに、支え台が、回転軸に対して垂直な１つの平面内にて様々な異なる密度であり、かつ、回転軸の軸方向の平行方向には一様な密度であれば、ハンマーヘッドは、唯一つの音調を作り出すために平行して打撃すべき多くの弦をピアノ内で均等に打撃することが好ましい。
【００１６】
また、ピアノハンマーは、打撃すべき弦または打撃すべき複数の弦に衝突する胴回り面の位置を調整できる電動機運転の駆動装置を備えた構成にしてもよい。こうした電動機運転の駆動装置は、ピアノの製作終了時に行うべきチューニングにおいて、作業を容易にでき、かつ、作業時間を短縮できるがこれが主要な作用効果であるわけではない。こうした駆動装置を用いると、他方ではまた、後々の時点で、ハンマーまたは複数のハンマーの胴回り面の位置調整、および、弦または複数の弦を一緒に打撃する支え台の密度調整によって、ピアノのチューニングを変更または適合させることができる。こうして特に、ピアノの異なる使用、例えば様々なスタイルまたは作曲家の音楽の演奏に対して、それぞれ異なる音程調整をピアノに行うことも可能である。ここで、例えば、ピアノ内にある制御装置と協力し、それぞれの弦に対するハンマーの胴回り面のその時々の位置による衝突を制御装置を介してコントロールすることにより、事前に調節した音程調整を自動的に調節できる。これによって、ピアノの使用可能性の可変性が明らかに高まり、これまでは、場合によって２つまたはそれ以上の楽器をコンサートホールなどの会場に準備する必要があったが、同じ１つの楽器を全く異なる様々な音程調整を行って演奏可能になる。
【００１７】
本発明が対象とするのは、上述の特徴を備えた少なくとも１つのピアノハンマーを有するピアノ自体でもある。
【発明の効果】
【００１８】
本発明によれば、胴回り面の位置を調整可能であり、支え台が胴回り面に沿って異なる密度に形成されているため、簡単に調整可能かつ復元可能で、可逆的なチューニングが可能である。
【図面の簡単な説明】
【００１９】
【図１】従来のピアノハンマーを示す側面図である。
【図２】本発明の一実施の形態のピアノハンマーを部分的に示す斜視図である。
【図３】（ａ）は、同上ピアノハンマーの支え台を形成する綿毛の初期状態を示す側面図であり、（ｂ）は、同上ピアノハンマーの綿毛にて形成された支え台を示す平面図である。
【図４】（ａ）は、ピアノハンマーの支え台を形成する綿毛の初期状態の変形例を示す側面図であり、（ｂ）は、ピアノハンマーの綿毛にて形成された支え台の変形例を示す平面図である。
【発明を実施するための形態】
【００２０】
以下、本発明の一実施の形態の構成について、図面を参照しながら説明する。
【００２１】
本発明の設計事例は、図により図式的にかつ容易に図解できるように示され、これに基づいて説明されている。図１は、従来の技術に基づくピアノハンマーを示しており、本発明の実施の形態は、図２ないし図４に略図で示されている。
【００２２】
図１には、従来のピアノハンマー１、具体的にはグランドピアノに取り付けるためのピアノハンマー１が、比較のために示されている。グランドピアノでは、ピアノハンマー１は、弦を下から打撃するため、図１では取付状態が示されている。このピアノハンマー１は、打撃のため、柄２の末端に配置されたハンマーヘッド３とともに上方へ向かってはね上がった形状であり、ハンマーヘッド３の支え台４とともに、打撃すべきピアノの弦に衝突する。その際、ハンマーヘッド３、より正確に言えばその先端に位置し典型的には綿毛にて形成された支え台４が、常に、表面上の同じ１つの領域にて打撃すべき弦に衝突する。
【００２３】
従来の技術では、こうしたピアノハンマー１は、このピアノハンマー１が取り付けられたグランドピアノの音の仕上げの際に、弦に衝突するハンマーヘッド３の支え台４の表面流域において、穴を空けて綿毛がほぐされることにより、ピアノ調律師によってグランドピアノの音程調整できるまで音を鳴らして調律される。ハンマーヘッド３または支え台４は、従来の技術に基づくピアノハンマー１の場合、柄２に対し、固定的に位置決めされており動かすことができない。このような構成では、グランドピアノの弦に衝突する支え台４の表面は、その位置を変えることができない。
【００２４】
図２に図式的に示されている本発明のピアノハンマー10の場合、従来とは違った形態で構成されている。本発明では、支え台14を備えたハンマーヘッド13が、ハンマーヘッドの柄12に取り付けられている。ハンマーヘッド13は、円筒状に形成されており、図１と同様に綿毛から形成された支え台14が、ローラーの表面に張り巡らされている。ハンマーヘッド13は、回転軸11で回転できるよう、ハンマーヘッド13をフォークのように取り囲む柄12の軸受に取り付けられている。支え台14は、それぞれ異なる密度である様々な領域またはゾーン15ないし19をはっきり識別できる。
【００２５】
本発明では、胴回り面に沿って異なる密度であるハンマーヘッド13が回転軸11を中心に回転可能であり、それによって、ハンマーヘッド13が打撃すべき弦に衝突するその表面の位置（それとともに、また、その時々で対応する様々な密度である領域15，16，17，18，19）を、回転軸11を中心としたハンマーヘッド13の簡単な回転により調節できる。調節が行われた場合は、ハンマーヘッド13を柄12に対して相対的に位置決めし、例えば適切な手段を用いて回転軸11を動けなくすることにより固定できる。
【００２６】
本発明に係るピアノハンマー10を使えば、楽器の望ましい音程調整の調律が、従来の技術に基づくピアノハンマー１の場合のような綿毛支え台４の機械的なほぐしによる方法よりも、より簡単にでき、かつ、一旦調整した後でも前の状態に復元可能であることが明らかである。
【００２７】
図２には、区域別に様々な異なる密度を有する合計５つの領域（領域15ないし19）が支え台14中に形成されたハンマーヘッドが図式的に示されている。また、特に綿毛支え台にすることができる支え台14は、図３ａに示された綿毛20を圧縮することによって形成できる。ここでは、図３ａに矢印で示唆された方向に沿って押しつぶされて圧縮される初期材料としては、様々な高さ（階段状の構造）の領域を有しそれぞれ一様の密度の綿毛20が選択される。いずれにせよ、異なる密度の５つの領域（左から右へ向かって段階的に密度が高くなる）を有し、図３ｂに示されたような厚さを統一した綿毛支え台25が成立する。さらに、より細かい調整を可能にするため、図４ａに示された綿毛20’を圧縮して形成できる。図４ｂに示されるように連続的に左から右に向かって漸次密度が高くなり、かつ、その限りにおいて、楽器の音程のより細かい調整を可能にする支え台25’を有する構成となる。図３および図４に関しては、完成した支え台25，25’は、符号が付された平面に対し垂直方向に統一的な密度であるとともに、図３ｂの支え台25の場合は段階的に５つの領域で、図４ｂの綿毛支え台25’の場合は、連続的かつ急に変化することなく、向かって左から右に漸次密度が変化することが重要である。
【００２８】
最終的に本発明の範囲内では、図２のようなピアノハンマー10にハンマーヘッド13を電動機運転で駆動して回転軸11を中心に回転させ、また例えば自動制動装置を介して衝突した位置に留めておく駆動装置（図示していない。）を備える構成にしてもよい。望ましい音程調整を一回で電動機運転により調整し、それによって迅速かつ効率的に作業をできるという純然たる可能性があるとともに、この構成の場合特に、使用状況に応じた楽器の音程調整の更なる自由度が生じる。非常に簡単な超小型モータを用いて、柄12を通って延びるケーブルの敷設（エネルギー供給と制御信号）により実現できるこのような電動機運転による駆動装置は、例えば、事前に調節された音程調整に基づいて、ハンマーヘッド13の回転により適切に調節するように、楽器の中に配設された制御装置と協力できる。
【符号の説明】
【００２９】
10    ピアノハンマー
11    回転軸
12    柄
13    ハンマーヘッド
14    支え台
20    綿毛
20’  綿毛
25    支え台
25’  支え台
【手続補正２】
【補正対象書類名】特許請求の範囲
【補正対象項目名】全文
【補正方法】変更
【補正の内容】
【特許請求の範囲】
【請求項１】
柄と、この柄に取り付けられ、打撃すべき弦または打撃すべき複数の弦に衝突する胴回り面およびこの胴回り面の少なくとも一部に設けられた支え台を有するハンマーヘッドとを備えたピアノの弦の打撃用のピアノハンマーであって、
ハンマーヘッドは、胴回り面の位置を調整可能であり、
支え台は、胴回り面に沿って異なる密度に形成されている
ことを特徴とするピアノハンマー。
【請求項２】
支え台は、胴回り面に沿って異なる密度に圧縮された綿毛で構成されている
ことを特徴とする請求項１記載のピアノハンマー。
【請求項３】
柄は、ハンマーヘッドを回転可能に軸支する回転軸を有し、
ハンマーヘッドは、回転軸を中心に回転可能な円筒状の回転体で、柄に対して任意の回転位置に固定可能である
ことを特徴とする請求項１または２記載のピアノハンマー。
【請求項４】
支え台は、ハンマーヘッドの周方向に沿って異なる密度であるとともに、回転軸の軸方向と平行な方向には同一の密度である
ことを特徴とする請求項３記載のピアノハンマー。
【請求項５】
打撃すべき弦または打撃すべき複数の弦に衝突するハンマーヘッドの胴回り面の位置を調整するための電動機運転の駆動装置を備える
ことを特徴とする請求項１ないし４のいずれか記載のピアノハンマー。
【請求項６】
請求項１ないし５のいずれかに記載されたピアノハンマーを少なくとも１つ備える
ことを特徴とするピアノ。